(57)【要約】【課題】  取り付け作業性の向上が図られる熱交換器を提供する。【解決手段】  補助熱交換器３では、所定の幅を有して延在する薄板状の複数のフィンを所定の間隔を隔てて積層させたフィン部４を備えている。そのフィン部４には、積層されたフィンの積層方向の端面にエンドプレート６が配設されている。エンドプレート６には、主熱交換器に配設されたエンドプレートに係止される爪部１０が形成され、そして、補助熱交換器３を主熱交換器へ取付ける際に補助熱交換器３を把持するための取付け把持部７が設けられている。取付け把持部７は、フィン部４から突出するように形成され、この場合、エンドプレート６の端部がフィン部４の側に向かって折り曲げられた態様とされる。【選択図】        図３
2007078265.tif 000002
【特許請求の範囲】
【請求項１】
空気を流通させるように、所定の間隔を隔てて積層するように配設された複数の板状のフィンからなるフィン部と、
前記フィン部の積層方向の端面に配設されプレート部と、
前記プレート部に設けられ、前記プレート部を係止するための係止部と、
複数の前記フィンのそれぞれと前記プレート部とを貫通するように配設され、所定の冷媒を流すための配管と
を有し、
前記プレート部は、前記フィン部から突出して前記プレート部を係止する際に把持するための取り付け把持部を備えた、熱交換器。
【請求項２】
前記取り付け把持部は、先端部分が前記フィン部が位置する側に向かって折り曲げられた、請求項１記載の熱交換器。
【請求項３】
前記取り付け把持部は、先端部分が前記フィン部が位置する側とは反対の側に向かって折り曲げられた、請求項１記載の熱交換器。
【請求項４】
前記取り付け把持部は、先端部分が前記フィン部を係止する係止部が位置する側とは反対側に向かって突出した、請求項１記載の熱交換器。
【請求項５】
前記フィン部を構成する各前記フィンのそれぞれの端部では、前記配管に沿って一方向に倒されることなく、起こされた状態のままである、請求項１〜４のいずれかに記載の熱交換器。
【発明の詳細な説明】
【技術分野】
【０００１】
本発明は熱交換器に関し、特に、取り付けが簡便な熱交換器に関するものである。
【背景技術】
【０００２】
近年、空気調和機の省エネルギ化に伴って、空気調和機に使用される熱交換器の高効率化が要求されている。熱交換器の高効率化を図るために、過冷却用の補助熱交換器と主熱交換器とを備えた熱交換器が提案されている。そのような補助熱交換器と主熱交換器は、図１１に示すように、空気調和機の室内機の熱交換器１０１として使用される。補助熱交換器１０３は、クロスフローファン１１３によって室内から取り入れられる空気の流れに対して上流側に位置し、主熱交換器１０２はその下流側に位置するように、補助熱交換器１０３が主熱交換器１０２に取り付けられている。
【０００３】
その補助熱交換器１０３についてさらに詳しく説明する。図１２に示すように、補助熱交換器１０３は、空気を流通させるように所定の間隔を隔てて積層するように配設された複数の板状のフィン１０４ａからなるフィン部１０４を備えている。そのフィン部１０４には、積層されたフィンの端面にエンドプレート１０６が配設されている。そのフィン部１０４とエンドプレート１０６とを貫通するように、所定の冷媒を流すための伝熱管１０５が配設されている。
【０００４】
図１３に示すように、補助熱交換器１０３を主熱交換器のエンドプレート１１１に取り付けるために、補助熱交換器１０３のエンドプレート１０６には、エンドプレート１１１に設けられた開口部１１２に係止される爪部１１０が形成されている。
【０００５】
なお、このように補助熱交換器１０３を主熱交換器１０２に取り付けたりする場合のように、一つの熱交換器を他の熱交換器に取り付けるのに爪部を係止させたり、あるいは、適当なねじを用いる手法は、たとえば特許文献１に提案されている。
【特許文献１】特開平７−１９８１９６号公報
【発明の開示】
【発明が解決しようとする課題】
【０００６】
しかしながら、従来の熱交換器では次のような問題点があった。補助熱交換器１０３を主熱交換器１０２に取り付けるには、作業者が補助熱交換器１０３のエンドプレート１０６の部分を直接手にとって、エンドプレート１０６に設けた爪部１１０を、主熱交換器１０２のエンドプレート１１１に設けられた開口部１１２に目視しながら係止することになる。
【０００７】
ところが、補助熱交換器１０３が組立てられた状態においては、図１２に示すように、フィン部１０４を構成する複数のフィン１０４ａのそれぞれの端部は解放端となっており、しかも、フィン１０４ａのそれぞれは、たとえばアルミニウム等の比較的軟らかい金属の薄板から形成されているために、外力に対して変形しやすい。そのため、フィン１０４ａの解放端を変形させないようにしようとすると、補助熱交換器１０３を手でしっかりと掴むことができず、補助熱交換器１０３の取り付け作業性が悪化してしまう。
【０００８】
そこで、図１３に示すように、フィン部１０４を構成する複数のフィン１０４ａの解放端の部分をあらかじめ一定の方向に倒す作業が行なわれる。このようにあらかじめフィン１０４ａの解放端の部分を倒すことによってフィン倒し部１０７を設け、このフィン倒し部１０７を手で掴むことでフィン部１０４を掴みやすくして、補助熱交換器１０３の主熱交換器１０２への取り付け作業性を向上している。
【０００９】
しかしながら、フィン倒し部１０７を設けることによって、フィン倒しの作業のため生産性が悪化するという問題があった。また、フィン倒し部１０７を設けることによって、その倒されたフィン１０４ａの部分が熱交換に寄与することができず、熱交換器としての機能向上を阻害する要因の一つなっていた。
【００１０】
本発明は上記問題点を解決するためになされたものであり、その目的は、取り付け作業性の向上が図られる熱交換器を提供することである。
【課題を解決するための手段】
【００１１】
本発明に係る熱交換器は、フィン部とプレート部と係止部と配管とを備えている。フィン部は、空気を流通させるように、所定の間隔を隔てて積層するように配設された複数の板状のフィンからなる。プレート部は、そのフィン部の積層方向の端面に配設されている。係止部は、プレート部に設けられてプレート部を係止する。配管は、所定の冷媒を流すために、複数のフィンのそれぞれとプレート部とを貫通するように配設されている。そのプレート部は、フィン部から突出してプレート部を係止する際に把持するための取り付け把持部を備えている。
【００１２】
この構成によれば、熱交換器のプレート部にフィン部から突出するように取付け把持部が設けられている。これにより、熱交換器のプレート部に設けた係止部を係止する際に、この取付け把持部を手で掴むことでフィン部の各フィンを変形させることなく熱交換器を係止することができる。
【００１３】
その取付け把持部のより具体的な態様として、まず、取り付け把持部は、先端部分がフィン部が位置する側に向かって折り曲げられていてもよい。また、取り付け把持部は、先端部分がフィン部が位置する側とは反対の側に向かって折り曲げられていてもよい。あるいは、取り付け把持部は、先端部分がフィン部を係止する係止部が位置する側とは反対側に向かって突出していてもよい。
【００１４】
このような場合には、フィン部を構成する各フィンのそれぞれの端部では、配管に沿って一方向に倒されることなく、起こされた状態のままにされることが好ましい。
【発明を実施するための最良の形態】
【００１５】
本発明の実施の形態に係る熱交換器として、空気調和機の室内機に配設される熱交換器について説明する。図１に示すように、空気調和機の室内機には、暖房運転時において熱交換器としての効率を高めるために、過冷却用の補助熱交換器３と主熱交換器２とが配設されている。補助熱交換器３は、クロスフローファン１３によって室内から取り入れられる空気の流れに対して上流側に配置され、主熱交換器２はその下流側に配置されている。後述するように、補助熱交換器３は、エンドプレート６に設けられた爪部１０を主熱交換器２のエンドプレートに設けられた開口部に係止することによって主熱交換器２に保持されている。
【００１６】
次に、その補助熱交換器３についてさらに詳しく説明する。図２に示すように、補助熱交換器３では、所定の幅を有して延在する薄板状の複数のフィン４ａを所定の間隔を隔てて積層させたフィン部４を備えている。そのフィン部４では、積層されたフィン４ａのそれぞれに設けられた開口部に、所定の冷媒を流すための伝熱管５が挿通されている。
【００１７】
そのフィン部４には、積層されたフィン４ａの積層方向の端面にエンドプレート６が配設されている。図３に示すように、エンドプレート６には、主熱交換器（図示せず）に配設されたエンドプレートに係止される爪部１０が形成されている。そして、エンドプレート６には、エンドプレート６をその主熱交換器のエンドプレートに係止する際に把持するための取付け把持部７が設けられている。取付け把持部７は、フィン部４から突出するように形成され、この場合、エンドプレート６の端部がフィン部４の側に向かって折り曲げられた態様とされる。
【００１８】
次に、その補助熱交換器３を主熱交換器２へ取付けるための取付け手順について説明する。まず、図３に示されるエンドプレート６に設けた取付け把持部７の部分を手で挟むようにして掴む。次に、図４に示すように、エンドプレート６に設けられた爪部１０を、主熱交換器のエンドプレート１１に設けられた開口部１２に導く。そして、図５に示すように、エンドプレート６の爪部１０を開口部１２に挿通して係止させる。こうして、図１に示すように、補助熱交換器３の主熱交換器２への取付けが完了する。
【００１９】
上述した空気調和機の熱交換器によれば、補助熱交換器３のエンドプレート６にフィン部４から突出するように取付け把持部７が設けられている。これにより、補助熱交換器３のエンドプレート６に設けた爪部１０を主熱交換器２のエンドプレート１１に設けた開口部１２に係止する際に、この取付け把持部７を手で挟み込むようにして掴むことでフィン部４の各フィン４ａを変形させることなく補助熱交換器３を主熱交換器２に容易に取付けることができる。
【００２０】
また、従来の熱交換器のようにフィンをあらかじめ倒しておく必要がないので、フィンを倒す作業が省かれて生産性が向上する。さらに、フィンが倒される部分がなくなることで、従来倒されていたフィンの部分も熱交換に寄与することができて、熱交換器としての機能を高めることができる。
【００２１】
上述した熱交換器では、補助熱交換器３のエンドプレート６に設けた取付け把持部７として、エンドプレート６の端部がフィン部４の側に向かって折り曲げられた態様を例に挙げて説明したが、取付け把持部７としてはこれに限られるものではない。以下に、取付け把持部のいくつかの変形例について説明する。
【００２２】
変形例１
変形例１に係る熱交換器では、図６および図７に示すように、取付け把持部７は、エンドプレート６の端部がフィン部４の位置する側とは反対の外側に向かって折り曲げられた態様とされる。
【００２３】
この場合にも、補助熱交換器３のエンドプレート６に設けた爪部１０を主熱交換器２のエンドプレート１１に設けた開口部１２に係止する際に、この取付け把持部７を手で挟み込むようにして掴むことで、フィン部４の各フィン４ａを変形させることなく補助熱交換器３を主熱交換器２（図１参照）に取付けることができる。
【００２４】
変形例２
変形例２に係る熱交換器では、図８および図９に示すように、取付け把持部７は、エンドプレート６の端部がフィン部を構成するフィンの面と平行にフィンの延在方向（紙面上下方向）に突出した態様とされる。
【００２５】
この補助熱交換器３においても、突出した取付け把持部７を手で挟み込むことができて、フィン部４の各フィン４ａを変形させることなく補助熱交換器３を主熱交換器２（図１参照）に取付けることができる。
【００２６】
変形例３
変形例３に係る熱交換器では、図１０に示すように、取付け把持部７は、エンドプレート６の端部が、フィン部を構成するフィンの面と平行に爪部１０が位置する側と反対の手前側に突出した態様とされる。
【００２７】
この補助熱交換器３においても、突出した取付け把持部７を手で挟み込んだり、あるいは掴んだりすることができて、フィン部４の各フィン４ａを変形させることなく補助熱交換器３を主熱交換器２（図１参照）に取付けることができる。
【００２８】
なお、上述した実施の形態では、補助熱交換器を主熱交換器に取付ける場合を例に挙げて説明したが、本構造は、補助熱交換器と主熱交換器との関係にかかわらず、一つの熱交換器に他の熱交換器を重ねて取付ける構造に適用することができる。また、エンドプレート６は、取付け作業に影響のない程度の強度があれば、金属の板に限られず、たとえば樹脂材料などで形成されたエンドプレートを適用してもよい。
【００２９】
今回開示された実施の形態は例示にすぎず、これに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００３０】
【図１】本発明の実施の形態に係る、空気調和機の室内機における熱交換器を示す部分斜視図である。
【図２】同実施の形態において、図１に示す補助熱交換器を示す部分正面図である。
【図３】同実施の形態において、図１に示す補助熱交換器を示す部分斜視図である。
【図４】同実施の形態において、補助熱交換器を主熱交換器へ取付ける一手順を示す部分斜視図である。
【図５】同実施の形態において、図４に示す手順の後に行なわれる手順を示す部分斜視図である。
【図６】同実施の形態において、変形例１に係る補助熱交換器を示す部分正面図である。
【図７】同実施の形態において、変形例１に係る補助熱交換器を示す部分斜視図である。
【図８】同実施の形態において、変形例２に係る補助熱交換器を示す部分正面図である。
【図９】同実施の形態において、変形例２に係る補助熱交換器を示す部分斜視図である。
【図１０】同実施の形態において、変形例３に係る補助熱交換器を示す部分斜視図である。
【図１１】空気調和機の室内機における従来の熱交換器を示す部分斜視図である。
【図１２】従来の補助熱交換器を主熱交換器へ取付ける一手順を示す部分正面図である。
【図１３】図１２に示す手順の後に行なわれる手順を示す部分正面図である。
【符号の説明】
【００３１】
１  熱交換器、２  主熱交換器、３  補助熱交換器、４  フィン部、４ａ  フィン、５  伝熱管、６，１１  エンドプレート、７  取付け把持部、１０  爪部、１２  開口部、１３  クロスフローファン。
【図１】
2007078265.tif 000003
【図２】
2007078265.tif 000004
【図３】
2007078265.tif 000005
【図４】
2007078265.tif 000006
【図５】
2007078265.tif 000007
【図６】
2007078265.tif 000008
【図７】
2007078265.tif 000009
【図８】
2007078265.tif 000010
【図９】
2007078265.tif 000011
【図１０】
2007078265.tif 000012
【図１１】
2007078265.tif 000013
【図１２】
2007078265.tif 000014
【図１３】
2007078265.tif 000015